(57)【要約】      （修正有）【課題】形状が同じ部材であったとしても、その仕様に満足する組み付け部品を誤りなく組み付けることができる計器装置を提供する。【解決手段】合成樹脂製のケース体と、このケース体の前面に配置され光源からの照射光線を導光案内する導光体５０と、この導光体５０に案内された照射光線によって背面側から指標部を透過照明可能な表示板２０と、表示板２０の前面側に配置され、少なくとも前面が透視可能な樹脂材料からなる上ケースと、光源を実装する回路基板と、を備えてなる計器装置において、導光体５０には機種毎に定められたマークＭを所定の箇所に設けるとともに、このマークＭに合わせて表示板２０にはその表示板２０の機種毎に定められた位置に誤組防止用のマーク表示窓部２３を施してなることを特徴とする計器装置である。【選択図】図６
2014081354.tif 000002
【特許請求の範囲】
【請求項１】
合成樹脂製のケース体と、このケース体の前面に配置され光源からの照射光線を導光案内する導光体と、この導光体に案内された照射光線によって背面側から指標部を透過照明可能な表示板と、前記表示板の前面側に配置され、少なくとも前面が透視可能な樹脂材料からなる上ケースと、前記光源を実装する回路基板と、を備えてなる計器装置において、前記導光体には機種毎に定められたマークを所定の箇所に設けるとともに、このマークに合わせて前記表示板にはその表示板の機種毎に定められた位置に誤組防止用のマーク表示窓部を施してなることを特徴とする計器装置。
【請求項２】
前記導光体と前記光源との間に調光用の拡散板を配置するとともに、その拡散板には機種毎に定められた誤組防止用マークを所定の箇所に設けるとともに、この誤組防止用マークに合わせて前記表示板には表示板の機種毎に定められた位置に誤組防止用のマーク表示窓部を施してなることを特徴とする請求項１に記載の計器装置。
【請求項３】
前記誤組防止用のマーク表示窓部内に前記マークと前記誤組防止用マークとを隣接して配置してなることを特徴とする請求項２に記載の計器装置。
【請求項４】
前記誤組防止用のマーク表示窓部内に前記マークと前記誤組防止用マークとを重ね合わせて配置するとともに、前記誤組防止用マークに対して前記マークの大きさを小さく設定してなることを特徴とする請求項２に記載の計器装置。
【請求項５】
前記上ケースには、前記表示板に施された前記誤組防止用のマーク表示窓部に対向する箇所を覆う見返しパネルを配置してなることを特徴とする請求項１から請求項４のいずれかに記載の計器装置。
【請求項６】
前記誤組防止用のマーク表示窓部の大きさに対し、前記マークおよび前記誤組防止用マークの大きさを小さく設定してなることを特徴とする請求項１から請求項５のいずれかに記載の計器装置。
【発明の詳細な説明】
【技術分野】
【０００１】
本発明は、例えば自動車やオートバイ、建設機械、農耕機械などの車両に搭載される計器装置に関する。
【背景技術】
【０００２】
従来の車両などに搭載される計器装置として、速度計や回転計などの指針式の指示計器の前面側に配置される表示板（表示パネル）と、前記指示計器を実装する硬質材料からなる回路基板と、この回路基板の前面側に配置され、前記表示板（表示パネル）を載置する樹脂材料からなる枠状のケース体と、このケース体の前面側に配置され、少なくとも前記表示板（表示パネル）の表示領域となる前面が透視可能な樹脂材料からなる透視カバーパネル部材と表示板（表示パネル）の表示領域を仕切る見返しパネル部材とからなる上ケース（前面側ケース）と、前記ケース体と前記回路基板とを覆う樹脂材料からなる下ケース（背後側ケース）と、を備えてなる計器装置が知られている（特許文献１等参照）。
【０００３】
また、このような計器装置として、光源からの照射光線を表示板に導き入れやすくするために導光板を用いたものも特許文献２などによって知られている。
【先行技術文献】
【特許文献】
【０００４】
【特許文献１】特開２００８−７５６９６号公報
【特許文献２】特開２００７−３３３９０号公報
【発明の概要】
【発明が解決しようとする課題】
【０００５】
ところで、前述した特許文献２などにおける計器装置においては、導光体を用いることにより明るく表示板上の指標部たとえば目盛や文字、数字などが照らし出されるという利点がある。しかしながら、この種の計器装置においては、仕向地によっては速度計の速度表示として、「キロ表示」であったり、「マイル表示」であったりすることがあり、ケースの形状は同じであっても、表示板の指標部の印刷（「キロ表示」、「マイル表示」）をそれぞれ仕向地である機種毎に合わせて形成する必要がある。そのため、指標部の印刷による目盛や数字などの配置などは仕向地（機種毎）によって異なるため、これにあわせて導光体に光の透過量を調整する調光印刷層を導光体の裏面や表面部分に印刷することによって指標部の透過量が均一となるようにしている。
【０００６】
従って、表示板と導光体とをそれぞれ仕向地（機種毎）に合わせてセットする必要があるものの、導光体の形状は「キロ表示」仕様と、「マイル表示」仕様との形状が同一のため、誤って他の仕様の導光体をケース上にセットしてしまうことがある。
【０００７】
そこで本発明は、前述の問題点に着目し、形状が同じ部材であったとしても、その仕様に満足する組み付け部品を誤りなく組み付けることができる計器装置を提供することを目的とする。
【課題を解決するための手段】
【０００８】
本発明は前述した課題を解決するため、請求項１では、合成樹脂製のケース体と、このケース体の前面に配置され光源からの照射光線を導光案内する導光体と、この導光体に案内された照射光線によって背面側から指標部を透過照明可能な表示板と、前記表示板の前面側に配置され、少なくとも前面が透視可能な樹脂材料からなる上ケース（上側ケース）と、前記光源を実装する回路基板と、を備えてなる計器装置において、前記導光体には機種毎に定められたマークを所定の箇所に設けるとともに、このマークに合わせて前記表示板にはその表示板の機種毎に定められた位置に誤組防止用のマーク表示窓部を施してなることを特徴とする計器装置である。
【０００９】
このように構成することにより、機種毎に定められた位置に設けられた表示板のマーク表示窓部から導光体に機種毎に定められた箇所に施されたマークとが一致するかどうかを判別することにより、簡単に誤組みであるかどうかを判断することができ、単一のケース内に、複数の導光体と表示板とを組み合わせてセット（組み付けること）する場合であっても、誤組みで組み付けられている箇所を即座に判別することができる。
【００１０】
また請求項２では、請求項１に記載の計器装置において、前記導光体と前記光源との間に調光用の拡散板を配置するとともに、その拡散板には機種毎に定められた誤組防止用マークを所定の箇所に設けるとともに、この誤組防止用マークに合わせて前記表示板には表示板の機種毎に定められた位置に誤組防止用のマーク表示窓部を施してなることを特徴とするものである。
【００１１】
このように構成することにより、導光体に加えて導光体の背後に配置した拡散板をも簡単に誤組であるか否かを即座に判断することができる。
【００１２】
また請求項３では、請求項２に記載の計器装置において、前記誤組防止用のマーク表示窓部内に前記マークと前記誤組防止用マークとを隣接して配置してなることを特徴とするものである。
【００１３】
このように構成することにより、一つの誤組防止用のマーク表示窓部内において、導光体に設けたマークと拡散板に設けた誤組防止用マークとを読み取ることができ、これにより導光体と拡散板の組み付けが機種毎に合わせて適正であるかどうかを即座に判別することができる。
【００１４】
また請求項４では、請求項２に記載の計器装置において、前記誤組防止用のマーク表示窓部内に前記マークと前記誤組防止用マークとを重ね合わせて配置するとともに、前記誤組防止用マークに対して前記マークの大きさを小さく設定してなることを特徴とするものである。
【００１５】
このように構成することにより、一つの誤組防止用のマーク表示窓部内において、拡散板に設けた大きな面積からなる誤組防止用マークの上に導光体に設けた小さな面積からなるマークが重なった状態で読み取ることができ、これにより導光体と拡散板の組み付けが機種毎に合わせて適正であるかどうかを即座に判別することができる。
【００１６】
また請求項５では、請求項１から請求項４のいずれかに記載の計器装置において、前記上ケースには、前記表示板に施された前記誤組防止用のマーク表示窓部に対向する箇所を覆う見返しパネルを配置してなることを特徴とするものである。
【００１７】
このように構成することにより、表示板の前面側から表示板に設けた誤組防止用のマーク表示窓部や導光体に設けた誤組防止用のマーク、拡散板に設けた誤組防止用マークなどを目隠しすることができ、見栄えも良好とすることのできる計器装置を提供することができる。
【００１８】
また請求項６では、請求項１から請求項５のいずれかに記載の計器装置において、前記誤組防止用のマーク表示窓部の大きさに対し、前記マークおよび前記誤組防止用マークの大きさを小さく設定してなることを特徴とするものである。
【００１９】
このように構成することにより、誤組防止用のマーク表示窓部の輪郭の中にマークや誤組防止用マークが配置されるため、表示板の前面側から簡単に判別することができる。
【発明の効果】
【００２０】
本発明による計器装置においては、合成樹脂製のケース体と、このケース体の前面に配置され光源からの照射光線を導光案内する導光体と、この導光体に案内された照射光線によって背面側から指標部を透過照明可能な表示板と、前記表示板の前面側に配置され、少なくとも前面が透視可能な樹脂材料からなる上ケース（上側ケース）と、前記光源を実装する回路基板と、を備えてなる計器装置において、前記導光体には機種毎に定められたマークを所定の箇所に設けるとともに、このマークに合わせて前記表示板にはその表示板の機種毎に定められた位置に誤組防止用のマーク表示窓部を施してなることを特徴とする計器装置であり、機種毎に定められた位置に設けられた表示板のマーク表示窓部から導光体に機種毎に定められた箇所に施されたマークとが一致するかどうかを判別することにより、簡単に誤組みであるかどうかを判断することができ、単一のケース内に、複数の導光体と表示板とを組み合わせてセット（組み付けること）する場合であっても、誤組みで組み付けられている箇所を即座に判別することができるものであり、所期の目的を達成することができる。
【図面の簡単な説明】
【００２１】
【図１】図１は、本発明の実施形態で「キロ表示」仕様による表示板を現した計器装置を示す正面図。
【図２】図２は、本発明の実施形態で「マイル表示」仕様による表示板を現した計器装置を示す正面図。
【図３】図３は、本発明の第１の実施形態を示すもので、図１における上ケースを取り除いた状態の正面図。
【図４】図４は、図３の表示板を取り除いた状態を示す正面図。
【図５】図５は、図１のＡ−Ａ線箇所を示す計器装置の断面図。
【図６】図６は、図３のＢ−Ｂ線箇所を示す要部の断面図。
【図７】図７は、本発明の第２の実施形態を示すもので、図２におけるＣ−Ｃ線箇所の断面図。
【図８】図８は、本発明の第２の実施形態を示すもので、図２における上ケースを取り除いた状態の正面図。
【図９】図９は、図８のＤ−Ｄ線箇所を示す要部の断面図。
【図１０】図１０は、本発明の誤組防止用のマーク表示窓部とマークおよび誤組防止用マークの実施態様例（変形例）を示す上ケースを取り除いた状態の正面図。
【図１１】図１１は、図１０のＥ−Ｅ線箇所を示す要部の断面図。
【図１２】図１２は、本発明の誤組防止用のマーク表示窓部とマークおよび誤組防止用マークの更なる実施態様例（変形例）を示す上ケースを取り除いた状態の正面図。
【図１３】図１３は、図１２のＦ−Ｆ線箇所を示す要部の断面図である。
【発明を実施するための形態】
【００２２】
図１から図６は本発明の第１の実施形態を示すもので、以下、これらに基づいて本発明の実施形態をたとえば自動車に搭載される計器装置を例にして説明する。
【００２３】
同図において、本実施形態による計器装置においては、速度計、燃料計、水温計などの指針式の指示計器１０の前面側に配置される表示板２０と、指示計器１０の計器本体１１を実装する硬質材料からなる回路基板３０と、この回路基板３０上に実装される光源４０，４１と、この光源４０，４１と表示板２０との間に介在される導光体５０と、回路基板３０の前面側に配置され、表示板２０および導光体５０を載置する樹脂材料からなる枠状のケース体６０と、このケース体６０の前面側に配置され、少なくとも前面が透視可能な樹脂材料からなる透視カバーパネル部材７１と表示板２０の表示領域を仕切る見返しパネル部材７２とからなる前面側ケースである上ケース７０と、ケース体６０と回路基板３０とを覆う樹脂材料からなる下ケース８０（背後側ケース）と、を備えて構成している。
【００２４】
この場合、速度計や燃料計、水温計などの各種情報を表示する各指示計器１０にあっては、回路基板３０の背後側に各指示計器１０の一部を構成する計器本体１１がそれぞれ組み付け固定されており、この各計器本体１１に設けられた指針軸１２の先端側に、指針軸１２を軸芯として回転する指針１３がそれぞれ圧入固定されている。この実施形態における指針構造としては、透明な合成樹脂たとえばポリカーボネート樹脂やアクリル樹脂などにて形成された発光指針１３を用いている。
【００２５】
この実施形態にあっては、計器本体１１は、可動磁石式計器またはステッピングモータからなり、この例では指針軸１２が回路基板３０に形成した軸孔３１を貫通するように、回路基板３０の背後に装着され、且つ半田付け等の適宜導通手段により配線パターンに電気接続されている。
【００２６】
また指針１３の背後側に位置したケース体６０の前面側に配置される表示板２０自体は、０．５ミリ程度の合成樹脂製からなるシート状の基板、例えばポリカーボネート樹脂の基板からなり、このシート状の樹脂基板からなる表示板２０には、目盛や数字や記号などからなる指標部（表示部）２１が施されている。
【００２７】
この場合、速度計の速度表示として、図１と図２に示すように、表示板２０の指標部２１の印刷をそれぞれ仕向地である機種毎に合わせて「キロ表示」仕様と「マイル表示」仕様として表示板２０を形成している。
【００２８】
また、表示板２０には、指針軸１２に対応した位置に挿通孔２２が設けられ、この挿通孔２２を通じて指針軸１２と指針１３とが連結できるようになっている。
【００２９】
また回路基板３０は、たとえばガラスエポキシ系基材に配線パターン（図示せず）を施した硬質回路基板からなり、計器本体１１の駆動・制御を行う駆動手段（図示せず）や、たとえば抵抗、コンデンサ等の各種電子部品（図示せず）が前記配線パターンに導通接続されている。
【００３０】
この回路基板３０上には、枠状のケース体６０内に臨んで表示板２０の目盛部や数字などの指標部２１を透過照明するための光源４０（発光ダイオード）と、指針１３を発光照明するための指針照明用の光源４１（発光ダイオード）とが実装されている。
【００３１】
導光体５０は、光源４０からの光線を受け入れやすくするために、たとえば透明なアクリル樹脂による平板状の基材により形成されている。
【００３２】
また導光体５０には、表示板２０の指標部２１の印刷（「キロ表示」、「マイル表示」）をそれぞれ仕向地である機種毎に合わせて形成しているため、指標部２１の印刷による目盛や数字などの配置などは仕向地（機種毎）によって異なるため、これに合わせて導光体５０の背面側に光の透過量を調整する調光印刷層５１を印刷することによって指標部２１の透過量が均一となるようにしている。
【００３３】
またケース体６０は、白色系の合成樹脂材料によって速度計、液面計、水温計などの指示計器１０を支持するために全体が略枠状の側壁部６１と、この側壁部６１の上端側をそれぞれ繋ぐように水平壁部６２が設けられ、この水平壁部６２から一体に窪み部からなる反射壁部６３が設けられるとともに、この反射壁部６３から一体にそれぞれの指示計器１０の指針軸１２を取り巻くように円筒部６４が形成され、この円筒部６４の底部に位置した回路基板３０の表面側に前述した指針照明用の光源４１が配置されている。この場合、前記水平壁部６２は表示板２０の一部を載置する載置面部として形成している。
【００３４】
また、ケース体６０に設けられた反射壁部６３から導光体５０側に向けて臨むように前述したように目盛や数字などからなる指標部２１を透過照明するための照明用の光源４０が配置されている。この際、光源４０からの光線は直接的に導光体５０へと導き入れる光線と、光源４０からの光を反射壁部６３を介して反射導光し、この反射導光した光をさらに導光体５０を介して表示板２０の指標部２１側へと反射導光するように設けられている。
【００３５】
また上ケース７０の一部を構成する透視カバーパネル部材７１は、例えば透明な合成樹脂からなり、表示板２０上の指標部２１領域が透視できるように設けられている。
【００３６】
また上ケース７０の一部を構成する見返しパネル部材７２は、例えば黒色の合成樹脂からなり、表示板２０上の指標部２１領域を視認可能となるように枠状に仕切るように設けられている。
【００３７】
また下ケース８０は、例えば合成樹脂からなり、回路基板３０の背後とケース体６０の外周面側を覆うように有底枠状に形成されている。
【００３８】
ところで、本実施形態における計器装置としては、前述したように表示板２０の指標部２１の印刷をそれぞれ仕向地である機種毎に合わせて「キロ表示」仕様と「マイル表示」仕様として表示板２０をそれぞれ形成している。そのため、「キロ表示」仕様による表示板２０および導光体５０を例にして説明する。
【００３９】
「キロ表示」仕様による表示板２０にあっては、その表示板２０の基板の表面に、目盛や数字あるいは記号などの指標部２１箇所に例えば白色の半透過性表示層２１０を形成し、その指標部２１箇所を除いて表示板２０の表面全体に遮光性の黒色の地色層２１１が施されている。
【００４０】
また、本実施形態では、表示板２０の指標部２１の一部を形成する目盛箇所と隣接した上側箇所（１００キロ表示箇所と１２０キロ箇所の間）に、四角形状からなる誤組防止用のマーク表示窓部２３が地色層２１１を抜き印刷することによって透視可能に設けられている。なお、本実施形態では抜き印刷による誤組防止用のマーク表示窓部２３を形成していたが、表示板２０自体に開口孔による誤組防止用のマーク表示窓部を形成するようにしても良い。
【００４１】
また表示板２０の背後に配置される導光体５０には、光源４０からの照射光線を受け入れ、表示板２０の指標部２１を透過照明する箇所に光の透過量を調整する調光印刷層５１（白色の印刷層）を導光体５０の裏面や表面部分に印刷することによって指標部２１の透過量が均一となるようにしている。
【００４２】
また、導光体５０には、表示板２０の機種毎に定められた位置に設けられた誤組防止用のマーク表示窓部２３の位置に合わせて丸形状からなるマークＭが印刷形成されている。この場合、マークＭは表示板２０の地色層２１１と同色に形成しても良いものであり、場合によっては反対色（補色関係にある色）による印刷層にてマークＭを形成しても良い。
【００４３】
また本実施形態においては、表示板２０に設けた誤組防止用のマーク表示窓部２３の大きさに対し、導光体５０に設けたマークＭの大きさを小さく設定してなることにより、誤組防止用のマーク表示窓部２３の輪郭の中にマークＭが配置され、表示板２０の前面側から簡単に判別することができるように構成している。
【００４４】
このように構成された本実施形態における計器装置においては、ケース体６０を基準としてその前面側に導光体５０をセットし、次いで表示板２０を導光体５０の上にセットした際に、表示板２０を正面視した場合、機種毎に定められた位置に設けられた表示板２０のマーク表示窓部２３から導光体５０に機種毎に定められた箇所に施されたマークＭとが一致しているか否かを容易に判別することができ、これにより簡単に誤組みであるかどうかを判断することができる。また単一のケース体６０内に、複数の導光体５０と表示板２０とを組み合わせてセット（組み付けること）する場合であっても、誤組みで組み付けられている箇所を即座に判別することができる。すなわち、機種毎に定められた表示板２０と導光体５０との組み合わせの場合では、表示板２０のマーク表示窓部２３の位置にマークＭが合致するため、正常にセットされていることが解るものであり、もし表示板２０と導光体５０との組み合わせが間違って配置されていた場合（例えばマイル表示用の導光体が背後に配置されていた場合）にあっては、表示板２０のマーク表示窓部２３の位置に導光体５０に設けたマークＭが見えないため、即座に誤組であることを判別することができる。
【００４５】
またケース体６０に対して導光体５０と表示板２０をセットした後、表示板２０の前面側に上ケース７０を載せて組み付けることにより、上ケース７０の一部を構成する見返しパネル部材７２によって表示板２０の前面側から誤組防止用のマーク表示窓部２３や誤組防止用のマークＭなどを目隠しすることができ、見栄えも良好とすることができる。
【００４６】
また、図２および図７から図９は、本発明の第２の実施形態を示すものであり、前述した図１から図６に示す第１の実施形態とほぼ同様に形成されている。この第２の実施形態にあっては、導光体５０の背後に乳白色からなる合成樹脂の拡散板５００を配置している。この実施形態では、拡散板５００の表面あるいは裏面に、光源４０からの照射光線を受け入れ、表示板２０の指標部２１を透過照明する箇所に光の透過量を調整する調光印刷層５１０（白色の印刷層）を印刷することによって指標部２１の透過量が均一となるようにしている。
【００４７】
また拡散板５００には、機種毎に定められた誤組防止用マークｍを所定の箇所に設けるとともに、この誤組防止用マークｍに合わせて表示板２０には表示板２０の機種毎に定められた位置に誤組防止用のマーク表示窓部２３ａが施されている。なお、本実施形態におけるマークｍとしては、丸形形状により拡散板５００の表面側に印刷形成している。
【００４８】
また導光体５０には、機種毎に定められた誤組防止用のマークＭ１が施されており、このマークＭ１の位置に合わせて表示板２０に誤組防止用のマーク表示窓部２３が施されている。
【００４９】
このように構成された本実施形態における計器装置においては、ケース体６０を基準としてその前面側に最初に拡散板５００をセットし、次いで導光体５０をセットし、さらに表示板２０を導光体５０の上にセットした際に、表示板２０を正面視した場合、機種毎に定められた位置に設けられた表示板２０のマーク表示窓部２３から導光体５０に機種毎に定められた箇所に施された誤組防止用のマークＭ１とが一致しているか否かを容易に判別することができるとともに、表示板２０の誤組防止用のマーク表示窓部２３ａから拡散板５００に設けた誤組防止用マークｍとが一致しているか否かを導光体５０を介して判別することができ、これにより簡単に誤組みであるかどうかを判断することができる。
【００５０】
従って、機種毎に定められた表示板２０を基準として、導光体５０と拡散板５００が重ね合わされて配置された場合、表示板２０のマーク表示窓部２３の位置に導光体５０のマークＭ１が合致し、表示板２０のマーク表示窓部２３ａの位置に拡散板５００の誤組防止用マークｍが合致していることが確認できた場合、正常にセットされていることが解るものであり、もし表示板２０と導光体５０と拡散板５００の組み合わせが間違って配置されていた場合にあっては、表示板２０のマーク表示窓部２３とマーク表示窓部２３ａとの位置に導光体５０に設けた誤組防止用のマークＭ１や拡散板５００に設けた誤組防止用マークｍが見えないため、即座に誤組であることを判別することができる。
【００５１】
また、ケース体６０は上ケース７０に設けられた見返しパネル部材７２によって覆われるため、表示板２０に設けられた指標部２１（目盛や文字、数字）を含む表示領域以外の外周部分となる領域を目隠しすることができるため、指標部２１箇所の表示領域を見やすくすることができるとともに、表示板２０の前面側から誤組防止用のマーク表示窓部２３，２３ａや誤組防止用のマークＭ１、ｍなどを目隠しすることができ、見栄えも良好とすることができる。
【００５２】
また図１０と図１１は、第２の実施形態の誤組防止用のマーク表示窓部とマークおよび誤組防止用マークの実施態様例（変形例）を示すものであり、前述した各実施形態と同様にして、表示板２０の指標部２１の一部を形成する目盛箇所と隣接した上側箇所に、四角形状からなる誤組防止用のマーク表示窓部２３０が地色層２１１を抜き印刷することによって透視可能に設けられている。
【００５３】
表示板２０のマーク表示窓部２３０位置に合わせて拡散板５００には、機種毎に定められた半円形状からなる誤組防止用マークｍ１が配置されるように設けられている。
【００５４】
また導光体５０には、機種毎に定められた半円形状からなる誤組防止用のマークＭ２が施されており、拡散板５００に導光体５０を重ね合わせた際に、導光体５０の半円形状からなる誤組防止用のマークＭ２と、拡散板５００に設けられた半円状からなる誤組防止用マークｍ１とによってほぼ円形となるように設けられており、表示板２０のマーク表示窓部２３０内に配置されるように設けられている。
【００５５】
このように構成された誤組防止用のマーク表示窓部２３０とマークＭ２および誤組防止用マークｍ１の実施態様例においては、ケース体６０を基準としてその前面側に最初に拡散板５００をセットし、次いで導光体５０をセットし、さらに表示板２０を導光体５０の上にセットした際に、表示板２０を正面視した場合、機種毎に定められた位置に設けられた表示板２０のマーク表示窓部２３０内において導光体５０に機種毎に定められた箇所に施された半円状の誤組防止用のマークＭ２が配置されているか否かを容易に判別することができるとともに、表示板２０の誤組防止用のマーク表示窓部２３０内において拡散板５００に設けた半円状の誤組防止用マークｍ１が配置されているか否かを導光体５０を介して判別することができるものであり、正常な組み合わせであった場合においては、導光体５０の半円形状からなる誤組防止用のマークＭ２と、拡散板５００に設けられた半円状からなる誤組防止用マークｍ１とによってほぼ円形となるようにマーク表示窓部２３０内にて判別することができ、これにより簡単に誤組みであるかどうかを判断することができる。
【００５６】
また図１２と図１３は、第２の実施形態の誤組防止用のマーク表示窓部とマークおよび誤組防止用マークの更なる実施態様例（変形例）を示すものであり、前述した各実施形態と同様にして、表示板２０の指標部２１の一部を形成する目盛箇所と隣接した上側箇所に、四角形状からなる誤組防止用のマーク表示窓部２３０ａが地色層２１１を抜き印刷することによって透視可能に設けられている。
【００５７】
この実施態様例にあっては、表示板２０のマーク表示窓部２３０ａ位置に合わせて拡散板５００には、機種毎に定められた比較的に大きな円形状からなる誤組防止用マークｍ２が配置されるように設けられている。
【００５８】
また導光体５０には、機種毎に定められた円形状からなる誤組防止用のマークＭ３が施されており、拡散板５００に導光体５０を重ね合わせた際に、拡散板５００に設けられた円形状からなる誤組防止用マークｍ２に対して導光体５０の円形状からなる誤組防止用のマークＭ３の大きさを小さく設定している。
【００５９】
このように構成された計器装置においては、ケース体６０を基準としてその前面側に最初に拡散板５００をセットし、次いで導光体５０をセットし、さらに表示板２０を導光体５０の上にセットした際に、表示板２０を正面視した場合、一つの誤組防止用のマーク表示窓部２３０ａ内において、拡散板５００に設けた大きな面積からなる誤組防止用マークｍ２の上に導光体５０に設けた小さな面積からなるマークＭ３が重なった状態で読み取ることができ、これにより導光体と拡散板の組み付けが機種毎に合わせて適正であるかどうかを即座に判別することができる。
【００６０】
また、前述した各実施形態においては「キロ表示」仕様による表示板２０を例にして説明していたが。「マイル表示」仕様による表示板２０においても同様な効果を得ることができる。
【００６１】
なお本発明は、前記実施形態に限定されるものではなく本発明の要旨の範囲内において種々の変形実施が可能であり、例えば各実施形態においては、「キロ表示」仕様と「マイル表示」仕様とによる機種別の異なる表示板２０を例にして説明したが、ケース体は共通であったとしても、指示計器の配置例えば補助計器である燃料計と水温計の配置が変更となる仕様の場合においても、同様な効果を得ることが可能である。
【産業上の利用可能性】
【００６２】
また、前述した実施形態において詳述したように、車両用の計器装置を例にして説明したが、車両用の計器装置に限らず船舶用計器あるいは農業用機械や建設機械などの特殊車両の計器装置などにおいても適用することが可能である。
【符号の説明】
【００６３】
Ｍ，Ｍ１，Ｍ２，Ｍ３    マーク
ｍ，ｍ１，ｍ２    誤組防止用マーク
１０    指示計器
１１    計器本体
１２    指針軸
１３    指針
２０    表示板
２１    指標部（表示部）
２２    挿通孔
２３，２３ａ，２３０，２３０ａ    マーク表示窓部
３０    回路基板
４０，４１    光源（発光ダイオード）
５０    導光体
５１，５１０    調光印刷層
６０    ケース体
６１    側壁部
６２    水平壁部（載置面部）
６３    反射壁部
６４    円筒部
７０    上ケース
７１    透視カバーパネル部材
７２    見返しパネル部材
８０    下ケース
２１０    半透過性表示層
２１１    地色層
５００    拡散板
【図１】
2014081354.tif 000003
【図２】
2014081354.tif 000004
【図３】
2014081354.tif 000005
【図４】
2014081354.tif 000006
【図５】
2014081354.tif 000007
【図６】
2014081354.tif 000008
【図７】
2014081354.tif 000009
【図８】
2014081354.tif 000010
【図９】
2014081354.tif 000011
【図１０】
2014081354.tif 000012
【図１１】
2014081354.tif 000013
【図１２】
2014081354.tif 000014
【図１３】
2014081354.tif 000015